(57)【要約】      （修正有）【課題】管状体の抜き去りを抑制した管状体固定具を提供する。【解決手段】皮膚Ｓの上に管状体Ｔを固定可能な管状体固定具１であって、一方向に延び、且つ、皮膚Ｓの上に貼り付け可能な粘着面である下面を有する下層２と、前記一方向に延び、前記一方向における一端部３０で前記下層２と連結され、前記管状体Ｔの固定前において、前記一方向における他端部３１及び前記一端部３０と前記他端部３１との中間に位置する中間部３２で前記下層２の上面と分離された上層３と、前記下層２の上面であって、前記中間部３２及び前記他端部３１の少なくとも一方と向かい合う位置に前記管状体Ｔを挟んだ状態で該管状体Ｔと接触する粘着面４０を有する管状体係止部４と、を備え、前記上層３の下面のうち前記管状体係止部の上に位置する領域は、粘着面を有する【選択図】図３
2020151236.tif 000002
【特許請求の範囲】
【請求項１】
皮膚の上に管状体を固定可能な管状体固定具であって、
一方向に延び、且つ、皮膚の上に貼り付け可能な粘着面である下面を有する下層と、
前記一方向に延び、前記一方向における一端部で前記下層と連結され、前記管状体の固定前において、前記一方向における他端部及び前記一端部と前記他端部との中間に位置する中間部で前記下層の上面と分離された上層と、
前記下層の上面であって、前記中間部及び前記他端部の少なくとも一方と向かい合う位置に配置され且つ前記下層と上層との間に前記管状体を挟んだ状態で該管状体と接触する粘着面を有する管状体係止部と、
を備え、
前記上層の下面のうち前記管状体係止部の上に位置する領域は、粘着面を有する、管状体固定具。
【請求項２】
前記管状体係止部の前記粘着面が有する粘着性及び前記上層の下面のうち前記管状体係止部の上に位置する領域の粘着面が有する粘着性の少なくとも一方が、前記下層の粘着面が有する粘着性よりも高い、請求項１に記載の管状体固定具。
【請求項３】
前記管状体係止部が、前記中間部と向かい合う位置に配置され、
前記管状体係止部の前記粘着面が有する粘着性は、前記下層の粘着面が有する粘着性よりも高い、請求項１又は請求項２に記載の管状体固定具。
【請求項４】
前記一方向と交差する方向に延びる連続体である、請求項１〜請求項３のいずれか１項に記載の管状体固定具。
【請求項５】
前記管状体係止部の粘着面と前記上層の粘着面とを貼り合わせて管状体を固定した場合の管状体固定せん断力は、１５Ｎ以上である、請求項１〜請求項４のいずれか１項に記載の管状体固定具。
【発明の詳細な説明】
【技術分野】
【０００１】
本発明は、輸排液用のチューブ、カテーテル等の医療用管状体を患者の皮膚等に固定するための管状体固定具に関する。
【背景技術】
【０００２】
従来、輸排液用のチューブやカテーテル等を患者の皮膚に貼り付けて固定するための管状体固定具が公知である（特許文献１）。例えば、図９（ａ）に示すように、管状体固定具１０１は、シート状の皮膚接着部１０２と、皮膚接着部１０２に重ねられた管状体固定部１０３と、を備える。皮膚接着部１０２は、皮膚に貼り付けられる粘着層１０４と、粘着層１０４に重ねられた保護膜１０５と、を有する。管状体固定部１０３は、細長い固定片であり、この端部が皮膚接着部１０２の保護膜１０５の表面に溶着固定されている。また、管状体固定部１０３は、皮膚接着部１０２に端部が固定された粘着層１０８と、粘着層１０８に重ねられた保護膜１０９と、を有する。この管状体固定具１０１では、図９（ｂ）〜図９（ｄ）に示すように、皮膚接着部１０２を患者の皮膚に貼り付けて、管状体固定部１０３の粘着層１０８から保護膜１０９を剥がし、粘着層１０８に管状体１１１を配置した状態とし、粘着層１０８を折り返すようにして管状体１１１を挟み込むことにより、皮膚接着部１０２に管状体１１１を固定する。
【先行技術文献】
【特許文献】
【０００３】
【特許文献１】特開２００２−３５１３３号公報
【発明の概要】
【発明が解決しようとする課題】
【０００４】
ところで、上記管状体固定具では、皮膚接着部に管状体を一旦固定したとしても、皮膚接着部から管状体が取り外されて、管状体が抜き去られるおそれがあった。特に、患者が認知症である場合等、正常な判断が困難な場合、管状体の抜き去りの危険性はより高い。
【０００５】
本発明は、管状体の抜き去りを抑制した管状体固定具を提供することを目的とする。
【課題を解決するための手段】
【０００６】
本発明の管状体固定具は、皮膚の上に管状体を固定可能な管状体固定具であって、一方向に延び、且つ、皮膚の上に貼り付け可能な粘着面である下面を有する下層と、前記一方向に延び、前記一方向における一端部で前記下層と連結され、前記管状体の固定前において、前記一方向における他端部及び前記一端部と前記他端部との中間に位置する中間部で前記下層の上面と分離された上層と、前記下層の上面であって、前記中間部及び前記他端部の少なくとも一方と向かい合う位置に配置され且つ前記下層と上層との間に前記管状体を挟んだ状態で該管状体と接触する粘着面を有する管状体係止部と、を備え、前記上層の下面のうち前記管状体係止部の上に位置する領域は、粘着面を有する。
【０００７】
かかる構成によれば、管状体は、管状体係止部の粘着面と上層の粘着面とに挟まれた状態で、これら粘着面同士が固着することにより固定されるため、下層と上層との間から管状体が抜き去られにくい。
【０００８】
また、前記管状体固定具では、前記管状体係止部の前記粘着面が有する粘着性及び前記上層の下面のうち前記管状体係止部の上に位置する領域の粘着面が有する粘着性の少なくとも一方が、前記下層の粘着面が有する粘着性よりも高くてもよい。
【０００９】
かかる構成によれば、粘着性の高い粘着層により下層と上層との間での管状体の固定が可能である。
【００１０】
また、前記管状体固定具では、前記管状体係止部が、前記中間部と向かい合う位置に配置され、前記管状体係止部の前記粘着面が有する粘着性は、前記下層の粘着面が有する粘着性よりも高くてもよい。
【００１１】
かかる構成によれば、管状体係止部が設けられる領域が限定されていても、粘着性の高い粘着層により下層と上層との間での管状体の固定が可能である。しかも、管状体係止部の材料の消費量を抑えられるため経済的である。
【００１２】
また、前記管状体固定具は、前記一方向と交差する方向に延びる連続体である。
【００１３】
かかる構成によれば、連続体を前記交差する方向における寸法を異ならせて切り取ることができるため、例えば、患者の皮膚における管状体を固定する部位の面積の大きさや管状体の固定の強さに応じた所望の寸法の管状体固定具を得ることができる。
【００１４】
また、前記管状体固定具では、前記管状体係止部の粘着面と前記上層の粘着面とを貼り合わせて管状体を固定した場合の管状体固定せん断力は、１５Ｎ以上であってもよい。
【発明の効果】
【００１５】
以上より、本発明によれば、管状体の抜き去りを抑制した管状体固定具を提供することができる。
【図面の簡単な説明】
【００１６】
【図１】図１は、本実施形態に係る管状体固定具の平面図である。
【図２】図２は、図１のＩＩ−ＩＩ位置における断面図である。
【図３】図３は、前記管状体固定具の使用方法を説明するための模式図であり、図３（ａ）は前記管状体固定具を皮膚に貼り付けた状態の断面図であり、図３（ｂ）は前記管状体固定具に管状体を挟み込んだ状態の断面図であり、図３（ｃ）は前記管状体固定具の上層の粘着面に管状体を接触させた状態の断面図であり、図３（ｄ）は前記管状体固定具で管状体を固定した状態の断面図である。
【図４】図４は、前記管状体固定具で管状体を固定した状態の斜視図である。
【図５】図５は、前記管状体固定具が連続体であるときの平面図である。
【図６】図６は、図５の連続体をロール状に巻いた状態の模式図である。
【図７】図７は、変形例に係る管状体固定具の断面図である。
【図８】図８は、変形例に係る管状体固定具の断面図である。
【図９】図９は、従来の管状体固定具の模式図であり、図９（ａ）は前記管状体固定具の平面図及び断面図であり、図９（ｂ）〜図９（ｄ）は前記管状体固定具の使用方法の説明図である。
【発明を実施するための形態】
【００１７】
以下、本発明の実施形態について、図１〜図４を参照しつつ説明する。管状体固定具は、皮膚の上に管状体Ｔを固定可能な器具であり、例えば、患者の皮膚の上に輸排液用のチューブ、カテーテル等の医療用管状体を固定可能な器具である。本明細書では、上下方向をのうち、皮膚に近い側を下側、皮膚から遠い側を上側として説明する。
【００１８】
図１に示すように、管状体固定具１は、一方向（図１における左右方向、以下、水平方向とする）に延びる下層２と、水平方向に延び、水平方向における一端部３０（図１における左端部）で下層２と連結された上層３と、を備える。また、管状体固定具１は、図２に示すように、下層２の上に配置された管状体係止部４を備える。なお、図２等では、上層３は、斜め向きに延びているが、実際には下層２と略並行に延びている。本実施形態の管状体固定具１は、下層２の下に配置された下層剥離ライナー５と、上層３の下に配置された上層剥離ライナー６と、管状体係止部４の上に配置された係止部剥離ライナー７と、を備える。各剥離ライナー５、６、７はシート状であり、使用時に取り除かれる。
【００１９】
管状体固定具１の外観は、例えば、上層３に略垂直な方向から平面視したとき長方形状をしたシート状である（図１参照）。本実施形態の管状体固定具１の水平方向における寸法は、５０ｍｍ〜１００ｍｍ程度であり、例えば、１００ｍｍである。管状体固定具１の水平方向と直交する奥行き方向における寸法は、２０ｍｍ〜５０ｍｍ程度であり、例えば、５０ｍｍである。
【００２０】
下層２は、皮膚の上に貼り付け可能なシートである。また、下層２は、皮膚の上に貼り付け可能な粘着面２０である下面２０を有する（図２参照）。本実施形態の下層２は、粘着包帯であり、例えば、キノホワイト（日東電工株式会社の登録商標、以下同じ）のような不織布を基材層とする粘着包帯である。下層２は、基材層２１と、基材層２１の下に配置され、下面が下層２の粘着面２０を構成する粘着層２２と、を有する。なお、本実施形態の下層２では、基材層２１の上に粘着層は形成されていない。つまり、下層２は、片面（下面２０）に粘着面２０を有する。粘着層２２は、皮膚に貼り付け可能なかぶれ等の生じにくい糊を含み、例えば、患者が使用する際の快適性を鑑みると、無臭の糊を含むことが好ましい。
【００２１】
ＪＩＳ  Ｚ０２３７に準じて、温度２３℃、相対湿度５０％の雰囲気下で、下層２の粘着面２０をベークライト板（フェノール樹脂板）に対して貼り付け、２ｋｇローラーで１往復圧着し、３０分養生後、引張速度３００ｍｍ／ｍｉｎにて１８０°折り返すように引き剥がしたときの粘着性は、患者の快適性の観点から１２Ｎ／１９ｍｍ以下が好ましく、さらに１０Ｎ／１９ｍｍ以下が好ましく、貼り付け性の観点から１Ｎ／１９ｍｍ以上が好ましく、さらに４Ｎ／１９ｍｍ以上がさらに好ましい。なお、下層２がキノホワイトであるとき、粘着面２０が有する粘着性は、例えば、７Ｎ／１９ｍｍである。
【００２２】
上層３は、下層２や管状体係止部４を覆うシートであり、例えば、通気性を良好とすべくメッシュ地のシートである。本実施形態の上層３は、粘着包帯であり、例えば、下層２と同じキノホワイトのような不織布を基材層とする粘着包帯である。また、本実施形態の上層３は、基材層３３と、基材層３３の下に配置され、その下面が上層３の下面３５を構成する粘着層３４と、を有する。つまり、上層３は、片面（下面３５）に粘着層３４を有する。上層３の下面３５のうち、少なくとも管状体係止部４に貼り合わせた状態で管状体係止部４の上に位置する領域は、粘着面である。本実施形態の上層３では、粘着層３４が水平方向の全域に連続しているため、上層３の下面３５の全体が粘着面３５である。なお、粘着層３４は、皮膚に貼り付け可能な糊を含んでいなくてもよいが、患者が使用する際の快適性を鑑みて無臭の糊を含むことが好ましい。
【００２３】
上層３は、例えば、製造を簡単にすべく、下層２と別体である。また、上層３の粘着層３４における一端部３０を構成する部位が、下層２の上面２３に貼り付けられることにより、上層３は下層２と連結されている。さらに、上層３は、管状体Ｔの固定前において、水平方向における他端部３１（図２における右端部）と一端部３０及び他端部３１の中間に位置する中間部３２の少なくとも一方、例えば、他端部３１及び中間部３２の両方で下層２の上面２３と分離されている。具体的に、上層３の他端部３１及び中間部３２と下層２との間には、管状体Ｔの固定前において、上層剥離ライナー６が配置されている。
【００２４】
なお、上層３の水平方向における寸法は、下層２の水平方向における寸法よりも小さい。また、上層３の一端部３０の水平方向における寸法、即ち、上層３の下層２との連結部位の水平方向における寸法は、例えば、下層２の水平方向における寸法の１／１０程度である。さらに、上層３の水平方向における一端縁３６（図２における左端縁）は、下層２の水平方向における一端縁２６と上下方向において重なっている。上層３の水平方向における他端縁３７（図２における右端縁）は、下層２の水平方向における他端縁２７よりも水平方向における内側に位置している。
【００２５】
管状体係止部４は、管状体Ｔを下層２と上層３との間に挟んだ状態で係止可能な部材である。また、管状体係止部４は、下層２の上面２３であって、他端部３１及び中間部３２の少なくとも一方と向かい合う位置、例えば、中間部３２と向かい合う位置（上層３の中間部３２と下層２の上との間）に配置されている。さらに、管状体係止部４は、例えば、下層２の水平方向における中間部２４上に配置されている。
【００２６】
なお、本実施形態の管状体係止部４は、矩形のシート状であり、具体的に、下層２の上において、水平方向と交差する方向、例えば、水平方向と直交する奥行き方向に延びている。また、本実施形態の管状体係止部４の水平方向における寸法は、管状体固定具１に固定する管状体Ｔの外径よりも大きいことが好ましい。さらに、管状体係止部４の水平方向における寸法は、例えば、下層２の水平方向における寸法の１／１０〜１／３程度である。
【００２７】
管状体係止部４は、下層２と上層３との間に管状体Ｔを挟んだ状態で、管状体Ｔと接触する粘着面４０を有する。本実施形態の管状体係止部４は、基材層４１の両面に粘着層４２、４３が設けられた両面テープである。管状体係止部４は粘着剤層（粘着層）のみ（いわゆる基材層レス）であってもよい。基材層４１の上に配置された粘着層４２の上面は、管状体係止部４の粘着面４０である。なお、粘着層４２、４３は、皮膚に貼り付け可能な糊を含んでいなくてもよいが、無臭の糊を含むことが好ましい。管状体係止部４は、対象物に対して強い接触が可能であり、且つ、貼り付けた後に剥がすこと（再剥離）が可能なテープ、例えば、５０００ＮＳ（日東電工株式会社の商品番号）の樹脂製のテープである。基材層４１の材質は、テープを剥がす力に対して高い抵抗力が生じる、即ち、この剥がす力に対して破断しない程度の強度を有する。例えば、基材層４１の材質は、柔軟性に優れ、且つ、強度の高い不織布や樹脂フィルムがあり、樹脂フィルムとしては、ＰＥＴ（ポリエチレンテレフタラート）等がある。
【００２８】
ＪＩＳ  Ｚ０２３７に準じて、温度２３℃、相対湿度５０％の雰囲気で、管状体係止部４の粘着面４０をステンレス鋼板（ＳＵＳ３０４ＢＡ板）に対して貼り付け、２ｋｇローラーで１往復圧着し、３０分養生後、引張速度３００ｍｍ／ｍｉｎにて１８０°折り返すように引き剥がしたときの粘着性は、管状体固定性の観点から８Ｎ／１９ｍｍ以上が好ましく、さらに１２Ｎ／１９ｍｍ以上がさらに好ましい。なお、管状体係止部４が５０００ＮＳであるとき、同様に、粘着面４０をステンレス鋼板から折り返すように１８０°引き剥がしたときの粘着性は１６Ｎ／１９ｍｍである。
【００２９】
管状体係止部４の粘着面４０が有する粘着性、及び、上層３の下面のうち管状体係止部４の上に位置する領域の粘着面３５が有する粘着性のうち少なくとも一方は、下層２の粘着面２０が有する粘着性よりも高い。「管状体係止部４の粘着面４０が有する粘着性」や「上層３の下面のうち管状体係止部４の上に位置する領域の粘着面３５が有する粘着性」から「下層２の粘着面２０が有する粘着性」を差し引いた差は、１Ｎ／１９ｍｍ以上であり、好ましくは３Ｎ／１９ｍｍ以上であり、さらに好ましく５Ｎ／１９ｍｍ以上である。本実施形態の管状体固定具１では、管状体係止部４の粘着面４０が有する粘着性は、下層２の粘着面２０が有する粘着性よりも高い。
【００３０】
なお、管状体係止部４の粘着面４０と上層３の粘着面３５を貼り合わせて管状体Ｔを固定した場合の管状体固定せん断力は、１５Ｎ以上であることが好ましく、さらに２０Ｎ以上が好ましく、例えば、２５Ｎ〜３０Ｎ程度である。管状体固定せん断力の測定は、水平方向と直交する奥行き方向が２０ｍｍの管状体固定具１をベークライト製の平板に貼付し、外径４ｍｍ内径２．５ｍｍのＰＶＣ素材の管状体（例えば、株式会社ＪＭＳ製のＪＶ−ＮＤ２０５０ＬＥ）を後述する管状体固定具１の使用方法における固定部分へ固定し、３００ｍｍ／ｍｉｎの引張速度にて管状体を管状体の長さ方向に引っ張る方法（管状体と粘着面４０および粘着面３５とのせん断方向の接着性の計測をし、最大値を読み取る方法）により行う。
【００３１】
下層剥離ライナー５、上層剥離ライナー６、及び、係止部剥離ライナー７は、それぞれ、下層２の粘着層２２の粘着面２０、上層３の粘着層３４の粘着面３５、及び、管状体係止部４の粘着層４２の粘着面４０の保護材であり、例えば、剥離紙である。下層剥離ライナー５には、スリット５０が設けられているため、下層剥離ライナー５を下層２から剥離しやすい。また、下層剥離ライナー５を部分的に剥がすことにより、皮膚に対して、下層２を部分的に貼り付けてから残りの下層剥離ライナー５を剥がして、下層２全体を皮膚Ｓに貼り付ける、即ち、下層２を仮止めすることもできる。なお、スリット５０は、例えば、下層２の上層３との連結部位である一端部２５と、下層２の上層３に対する非連結部位（例えば、中間部２４）との境界に対して上下方向において重なる部位に配置されている。
【００３２】
次に、管状体固定具１の使用方法について具体的に説明する。まず、管状体固定具１の下層２から下層剥離ライナー５を剥がして取り除き、図３（ａ）に示すように、下層２を皮膚Ｓの上に貼り付ける。次に、管状体係止部４から係止部剥離ライナー７を剥がして取り除き、図３（ｂ）に示すように、管状体係止部４の粘着面４０に管状体Ｔを載置する。このとき、本実施形態の管状体固定具１では、管状体係止部４の水平方向における中央に位置する中央領域４４の粘着面４０に、管状体Ｔを載置する。このとき、管状体係止部４の粘着面４０の粘着力により管状体Ｔが下層２に固定される。これにより、管状体Ｔを下層２に対して仮止めすることができる。
【００３３】
さらに、上層３から上層剥離ライナー６を剥がして取り除き、図３（ｃ）示すように、管状体Ｔを上層３の粘着面３５と管状体係止部４の粘着面４０で挟んだ後、図３（ｄ）に示すように、上層３を上方から下層２に重ねることで、管状体Ｔを下層２と上層３との間に固定する。このとき、本実施形態の管状体固定具１では、上層３の中間部３２を下方に押し付けることにより、上層３の中間部３２の管状体係止部４と重なる第一部位３２１の粘着面３５は、管状体係止部４の粘着面４０に接触して両粘着面３５、４０が固着する。これにより、上層３の中間部３２の第一部位３２１において、管状体Ｔが上層３と管状体係止部４に挟まれた状態で固定される。
【００３４】
なお、本実施形態の管状体固定具１では、管状体係止部４の水平方向における寸法が管状体Ｔの外径よりも大きい。そのため、管状体固定具１に管状体Ｔが固定された状態において、管状体Ｔの水平方向における両側の近傍に位置する領域では、上層３の中間部３２の管状体Ｔと重ならず且つ管状体係止部４の水平方向における両端部４５と重なる第二部位３２２の粘着面３５と管状体係止部４の粘着面４０とが接触する。
【００３５】
また、本実施形態の管状体固定具１では、上層３の中間部３２を下方に押し付けることにより、上層３の中間部３２の管状体係止部４と重ならない第三部位３２３の粘着面３５と下層２の上面２３とが接触する。これにより、上層３の中間部３２の第三部位３２３においても、上層３と下層２とが連結する。
【００３６】
さらに、本実施形態の管状体固定具１では、上層３の他端部３１を下方に押し付けることにより、上層３の他端部３１における粘着面３５と下層２の上面２３とが接触する。
【００３７】
このように、本実施形態の管状体固定具１では、管状体Ｔを固定したとき、上層３の一端部３０及び他端部３１の両方において、上層３と下層２とが連結する。しかも、本実施形態の管状体固定具１では、管状体Ｔを固定したとき、上層３の中間部３２の第三部位３２３においても、上層３と下層２とが連結する。
【００３８】
なお、本実施形態の管状体固定具１では、管状体Ｔを固定したとき、上層３の水平方向における一端縁３６（図３（ｄ）における左端縁）は、下層２の水平方向における一端縁２６と上下方向において重なる一方、上層３の水平方向における他端縁３７（図３（ｄ）における右端縁）は、下層２の水平方向における他端縁２７よりも水平方向における内側（図３（ｄ）における左側）に位置する。
【００３９】
以上の管状体固定具１によれば、管状体Ｔは、管状体係止部４の粘着面４０と上層３の粘着面３５とに挟まれた状態で、粘着面４０、３５同士の固着（例えば、管状体係止部４の粘着面４０と上層３の中間部３２の第二部位３２２の粘着面３５との固着）により下層２と上層３との間に固定される。これにより、管状体Ｔの近傍での粘着面４０、３５同士の固着が外れにくいことから、下層２から上層３が剥がれにくく、下層２と上層３との間から管状体Ｔを抜き去ろうとしても、管状体Ｔに大きな抵抗力が生じるため、管状体Ｔが抜き去られにくい。特に、患者が認知症である場合等、正常な判断が困難な場合に、管状体Ｔの抜き去りの危険性はより高いため、管状体固定具１が有用である。しかも、管状体係止部４の水平方向における寸法と直径が略同じ又は管状体係止部４の水平方向における寸法よりも直径が小さい管状体Ｔであれば、サイズの異なる管状体Ｔを管状体係止部４の上に配置できるため、一つの管状体固定具１により、様々なサイズの管状体Ｔを皮膚Ｓの上に固定することができる。
【００４０】
本実施形態の管状体固定具１では、管状体係止部４の粘着面４０が有する粘着性は、下層２の粘着面２０が有する粘着性よりも高いため、粘着性の高い粘着面４０により下層２と上層３との間での管状体Ｔの固定を確実にできる。また、管状体係止部４の粘着面４０と上層３の粘着面３５を貼り合わせて管状体Ｔを固定した場合の管状体固定せん断力は、１５Ｎ以上であるため、管状体Ｔを確実に固定できる。
【００４１】
また、本実施形態の管状体固定具１では、管状体Ｔを下層２と上層３との間に固定した状態において、図４に示すように、上層３の水平方向における他端縁３７が、下層２の水平方向における他端縁２７よりも内側に位置しており、下層２の他端縁２７が上層３に覆われておらず露出している。これにより、管状体固定具１が皮膚Ｓに貼り付けられた状態において、上層３の他端縁３７に指を掛けることで、他端部３１を容易に摘まむことができ、上層３を下層２から剥がしやすいため、下層２から上層３を剥がした後に、管状体固定具１から管状体Ｔを容易に取り外すことができる。
【００４２】
さらに、本実施形態の管状体固定具１では、管状体係止部４が、水平方向と交差する方向に延びているため、管状体Ｔが、管状体係止部４によりこの方向（水平方向と交差する方向、本実施形態では水平方向と直交する方向）において下層２と上層３との間に固定されていることにより、この方向（図４の矢印方向）に引っ張られたとしても下層２と上層３との間から抜き去られにくい。
【００４３】
本実施形態の管状体固定具１では、管状体係止部４の基材層４１が、破断しにくい素材、例えば、ＰＥＴであるため、管状体固定具１から管状体Ｔを取り外す際に基材層４１が破断せず、管状体Ｔに基材層４１の破片などが残りにくい。そのため、管状体固定具１から管状体Ｔを取り外した後にこの管状体Ｔを再度利用する場合に、管状体Ｔを再利用しやすい。また、管状体係止部４として５０００ＮＳのような再剥離性を有する両面テープを用いることで、管状体固定具１から管状体Ｔを取り外す際に、管状体Ｔに粘着層４２、４３の糊が残りにくい。
【００４４】
また、本実施形態の管状体固定具１では、管状体係止部４が下層２の水平方向における中間部２４の上に配置され、管状体係止部４の水平方向における中央領域４４に、管状体Ｔを載置した状態で固定するため、管状体固定具１の水平方向における中央領域で管状体Ｔを安定的に固定できる。よって、患者が体を動かしても、管状体Ｔがずれにくい。
【００４５】
尚、本発明の管状体固定具は、上記実施形態に限定されるものではなく、本発明の要旨を逸脱しない範囲内において種々変更を加え得ることは勿論である。例えば、ある実施形態の構成に他の実施形態の構成を追加することができ、また、ある実施形態の構成の一部を他の実施形態の構成に置き換えることができる。さらに、ある実施形態の構成の一部を削除することができる。
【００４６】
上記実施形態の管状体固定具１は、上層３に略垂直な方向から平面視したとき長方形状であるシートであったが、このように平面視したとき円形状や正方形状等のような他の多角形状であるシートであってもよく、水平方向と交差する方向、例えば、図５に示すように、水平方向（図５における左右方向）と直交する奥行き方向に延びる連続体１００であってもよい。このような連続体では、連続体１００をこの延びる方向（水平方向と交差する方向）における寸法を異ならせて切り取ることができるため、一つの連続体１００から、例えば、患者の皮膚Ｓにおける管状体Ｔを固定する部位の面積の大きさや管状体Ｔの固定の強さに応じた所望の寸法の管状体固定具１を得ることができる。また、連続体１００は、図６に示すように、ロール状に巻かれた状態で保存、及び、運搬可能である。
【００４７】
管状体固定具１は、下層剥離ライナー５、上層剥離ライナー６、及び、係止部剥離ライナー７の少なくとも一つを備えなくてもよい。例えば、連続体１００が、下層剥離ライナー５を備えない場合、ロール状に巻いたときに、下層２の粘着面２０が上層３の上面に貼り付くため、保存や運搬時にロール状の形状が崩れにくい。
【００４８】
また、上記実施形態の管状体固定具１では、上層３と下層２との連結部位の水平方向における寸法は、上層３全体の水平方向における寸法の１／１０程度であったが、１／１０〜１／３程度であればよく、例えば、図７に示すように、１／３程度であってもよい。
【００４９】
さらに、上記実施形態の管状体固定具１では、上層３の水平方向における一端縁３６は、下層２の水平方向における一端縁２６と上下方向において重なる一方、上層３の他端縁３７は、下層２の他端縁２７よりも水平方向における内側に位置していたが、上層３の一端縁３６及び下層２における一端縁２６と、上層３の他端縁３７及び下層２の他端縁２７との両方が、それぞれ、上下方向において重なっていてもよい。この場合においても、管状体固定具１が管状体Ｔを固定した状態において、上層３が管状体Ｔを覆うことにより、上層３の他端縁３７は、下層２の他端縁２７よりも水平方向における内側に位置することとなるため、上層３の他端部３１を摘まみやすく、管状体固定具１から管状体Ｔを容易に取り外すことができる。
【００５０】
なお、管状体固定具１が管状体Ｔを固定した状態において、上層３の一端縁３６が下層２の一端縁２６よりも水平方向における内側に位置していてもよい。この場合、上層３の水平方向における寸法は、下層２の水平方向における寸法よりも小さくても、下層２の水平方向における寸法と同じであってもよい。例えば、上層３の一端縁３６及び他端縁３７の両方が、下層２の一端縁２６及び他端縁２７よりもそれぞれ水平方向における内側に位置していれば、水平方向における両側から、上層３の一端部３０や他端部３１を摘まむことができるため、管状体Ｔを容易に取り外すことができる。
【００５１】
上記実施形態の上層３は下層２と別体であったが、下層と一体であってもよく、例えば、図８に示すように、一枚の粘着包帯（例えば、キノホワイト）を内側に粘着層が配置された状態で折り曲げることにより、上層３と下層２とが連結していてもよい。この場合、管状体固定具１は、下層２の下面に粘着層を設けて、この粘着層により皮膚Ｓに貼り付けられてもよい。また、上記実施形態の上層３は下層２の上面２３と連結していたが、上層３は下層２の上面２３以外の部位と連結してもよい。
【００５２】
上記実施形態の管状体係止部４の粘着面４０の粘着性は、下層２の下面２０の粘着性よりも高かったが、下層２の下面２０の粘着性よりも低くてもよいし、下層２の下面２０の粘着性と同じであってもよい。このような場合においても、管状体Ｔが粘着面４０、３５同士の固定により下層２と上層３との間に固定されるため、管状体Ｔの近傍での粘着面４０、３５同士の固定が外れにくいことから、下層２から上層３が剥がれにくく、下層２と上層３との間から管状体Ｔが抜き去られにくい。また、管状体係止部４の粘着面４０の粘着性が低いことにより、管状体係止部４に管状体Ｔを載置する際に、誤った位置に管状体Ｔを載置したとしても、管状体Ｔを一旦取り外して再び載置することが容易である。なお、管状体係止部４として、粘着面を上方に向けた状態のキノホワイトを下層２の上に配置した場合、管状体係止部４の粘着面４０と上層３の粘着面３５を貼り合わせて管状体Ｔを固定した場合の管状体固定せん断力は、例えば、２２Ｎ〜２５Ｎである。
【００５３】
なお、管状体係止部４の粘着面４０の粘着性が、下層２の下面２０の粘着性よりも低かったり、下層２の下面２０の粘着性と同じであったりする場合に、上層３の下面のうち管状体係止部４の上に位置する領域の粘着面３５が有する粘着性が、下層２の下面２０の粘着性よりも高くてもよい。このように、管状体係止部４の粘着面４０が有する粘着性、及び、上層３の下面のうち管状体係止部４の上に位置する領域の粘着面３５が有する粘着性の少なくとも一方が、下層２の下面２０の粘着性より高ければ、粘着性の高い粘着層により下層２と上層３との間での管状体Ｔの固定が可能である。
【００５４】
また、上記実施形態の管状体係止部４は、矩形のシート状であったが、例えば、互いに離間した複数のドット状やストライプ状等の他の形状であってもよい。さらに、上記実施形態の管状体係止部４は、上層３の中間部３２と下層２との間に配置されていたが、上層３の他端部３１と下層２の間や、中間部３２及び他端部３１の両方と下層２との間に連続して配置されてもよい。この場合、下層２は、両面（下面２０及び上面２３）に粘着面を有することになる。なお、管状体係止部４は、上述のように基材層を有さずに、粘着層４２のみで構成されてもよく、この場合、下層２の上に塗られた糊であってもよい。管状体係止部４として、キノホワイトの粘着層に含まれる糊を下層２の上に塗布した場合、管状体係止部４の粘着面４０（この構成では、下層２の上に塗布した糊の粘着面）と上層３の粘着面３５を貼り合わせた場合の管状体固定せん断力は、例えば、２０Ｎ〜２３Ｎである。
【符号の説明】
【００５５】
１…管状体固定具、２…下層、３…上層、４…管状体係止部、５…下層剥離ライナー（剥離ライナー）、６…上層剥離ライナー（剥離ライナー）、７…係止部剥離ライナー（剥離ライナー）、２０…下面（粘着面）、２１…基材層、２２…粘着層、２３…上面、２４…中間部、２５…一端部、２６…一端縁、２７…他端縁、３０…一端部、３１…他端部、３２…中間部、３３…基材層、３４…粘着層、３５…下面（粘着面）、３６…一端縁、３７…他端縁、４０…粘着面、４１…基材層、４２、４３…粘着層、４４…中央領域、４５…両端部、５０…スリット、１００…連続体、１０１…管状体固定具、１０２…皮膚接着部、１０３…管状体固定部、１０４…粘着層、１０５…保護膜、１０８…粘着層、１０９…保護膜、３２１…第一部位、３２２…第二部位、３２３…第三部位、１１１、Ｔ…管状体、Ｓ…皮膚
【図１】
2020151236.tif 000003
【図２】
2020151236.tif 000004
【図３】
2020151236.tif 000005
【図４】
2020151236.tif 000006
【図５】
2020151236.tif 000007
【図６】
2020151236.tif 000008
【図７】
2020151236.tif 000009
【図８】
2020151236.tif 000010
【図９】
2020151236.tif 000011